(57)【要約】【課題】ボウル部内の臭気を簡単に脱臭できる便器を提供する。【解決手段】便器本体４のボウル部３の上方を便座部分とともに覆う便蓋６が設けられた便器１において、便蓋６を閉じた時にボウル部３内の空気を外部に吸引排出することで減圧する減圧装置２２が設けられている。ボウル部３内の空気を外部に吸引排出することで、ボウル部３内が簡単に脱臭されて臭気がこもらなくなるので、便蓋６を開けた時に不快にならなくなる。減圧装置２２として、水流圧を利用して吸引排出を行うアスピレータ２３を用いることができる。【選択図】図１
2008025171.tif 000002
【特許請求の範囲】
【請求項１】
便器本体のボウル部の上方を便座部分とともに覆う便蓋が設けられた便器において、
前記便蓋を閉じた時にボウル部内の空気を外部に吸引排出することで減圧する減圧装置が設けられていることを特徴とする便器。
【請求項２】
前記減圧装置は、水流圧を利用して吸引排出を行うアスピレータであることを特徴とする請求項１に記載の便器。
【請求項３】
前記減圧装置で外部に吸引排出される空気は、ボウル部内の封水を外部に排水する排水路に排出されることを特徴とする請求項１または２に記載の便器。
【請求項４】
前記減圧装置は真空ポンプであることを特徴とする請求項１〜３のいずれか一項に記載の便器。
【請求項５】
前記減圧装置による吸引排出中に便蓋を開いた時に、吸引排出を所定時間だけ継続した後に減圧装置を停止させる制御装置が設けられていることを特徴とする請求項１〜４のいずれか一項に記載の便器。
【発明の詳細な説明】
【技術分野】
【０００１】
本発明は、ボウル部内を簡単に脱臭できる便器に関する。
【背景技術】
【０００２】
従来、便器本体のボウル部の上部を便座部分とともに覆う便蓋（若しくはカバー）が設けられた便器において、ボウル部内を洗浄水で洗浄するものがある（特許文献１参照）。
【特許文献１】特開２００４−６８２７８号公報
【発明の開示】
【発明が解決しようとする課題】
【０００３】
しかしながら、特許文献１のような洗浄装置が設置された便器であっても、洗浄が完全でないとボウル部内に臭気が残ってトイレルーム内にこもるとともに、特に便蓋を閉じているとボウル部内に臭気がこもるので、便蓋を開けた時に不快になるという問題があった。
【０００４】
本発明は、前記問題を解消するためになされたもので、ボウル部内の臭気を簡単に脱臭できる便器を提供することを目的とするものである。
【課題を解決するための手段】
【０００５】
前記課題を解決するために、本発明は、便器本体のボウル部の上方を便座部分とともに覆う便蓋が設けられた便器において、前記便蓋を閉じた時にボウル部内の空気を外部に吸引排出することで減圧する減圧装置が設けられていることを特徴とする便器を提供するものである。
【０００６】
請求項２のように、前記減圧装置は、水流圧を利用して吸引排出を行うアスピレータである構成とすることができる。
【０００７】
請求項３のように、前記減圧装置で外部に吸引排出される空気は、ボウル部内の封水を外部に排水する排水路に排出されることが好ましい。
【０００８】
請求項４のように、前記減圧装置は真空ポンプである構成とすることができる。
【０００９】
請求項５のように、前記減圧装置による吸引排出中に便蓋を開いた時に、吸引排出を所定時間だけ継続した後に減圧装置を停止させる制御装置が設けられていることが好ましい。
【発明の効果】
【００１０】
本発明によれば、便蓋を閉じた時に減圧装置でボウル部内の空気を外部に吸引排出することで減圧するようにしたから、ボウル部内が簡単に脱臭されて臭気がこもらなくなるので、便蓋を開けた時に不快にならなくなる。
【００１１】
請求項２によれば、水流圧を利用して吸引排出を行うアスピレータを用いることで、減圧装置が簡単でコスト安になる。
【００１２】
請求項３によれば、減圧装置で外部に吸引排出される空気を排水路に排出することで、送風ファンや脱臭フィルターを介してトイレルーム内に排出する場合と比べて、送風ファンや脱臭フィルター等の処理設備が不要となるので、コスト安になる。
【００１３】
請求項４によれば、電力を利用して吸引排出を行う真空ポンプを用いることで、吸引排出力や吸引排出時間の制御が簡単に行えるようになる。
【００１４】
請求項５によれば、吸引排出中に便蓋を開いた時でも、制御装置で吸引排出を所定時間だけ継続した後に減圧装置を停止させることで、ボウル部内にこもった臭気が引き続き吸引排出されて、便蓋を開けた時に不快にならなくなる。
【発明を実施するための最良の形態】
【００１５】
以下、本発明を実施するための最良の形態について、図面を参照しながら詳細に説明する。
【００１６】
図１に示すように、便器１は、スカート部２の内部にボウル部３が形成された便器本体４を備えている。便器本体４は、合成樹脂製または陶器製のいずれであっても良い。ボウル部３には、封水（溜め水）が一定の水位Ｌ１で溜められている。
【００１７】
ボウル部３の上方に便座５と便蓋６とが配置されて、便座５と便蓋６とは、ヒンジ部７によって、それぞれ便器本体４で開閉自在に支持されている。なお、便座５は、便器本体４に一体形成されたものであっても良い。
【００１８】
便蓋６は、便器本体４のボウル部３の上方を便座５とともに覆うようなボックス形状に形成されて、図２（ａ）に詳細に示すように、便蓋６の外周壁６ａの下端には、閉じ位置で便器本体４の上面に当接して、便蓋６の内部を略気密に保つためのパッキン８が取付けられている。なお、図２（ｂ）のように、便座５の下面に、便器本体４の上面に当接するパッキン（足ゴム）９を取付けるとともに、便蓋６の外周壁６ａの下端に取付けたパッキン８を便座５の上面に当接させて、便蓋６の内部を略気密に保つこともできる。
【００１９】
便器本体４の後部にはロータンク１０が取付けられ、このロータンク１０には、水道水配管１１から水道水（洗浄水）が供給されるようになる。なお、水道水配管１１には、水道水（洗浄水）の供給・停止をさせるための開閉弁１２が設けられている。
【００２０】
便器本体４内には、ターントラップ機構１５が配置されている。ターントラップ機構１５は、ボウル部３の排出管３ａに一端が連結されたジャバラ状のトラップホース１６と、トラップホース１６の他端に取付けられた先端リング部材１６ａとを有するとともに、モータ（不図示）の駆動で回転される回転軸１７と、回転軸１７の回転を先端リング部材１６ａに伝えるアーム部材１７ａとを有している。
【００２１】
トラップホース１６は、常時は、図１のように、便器本体４内のドーム状カバー１４内で上向き位置に保持されて、ボウル部３とトラップホース１６とに封水（溜め水）を一定の水位Ｌ１で溜めるようになっている。
【００２２】
そして、レバーや押しボタンスイッチ等で水洗操作がされた時に、ロータンク１０内の洗浄水は、洗浄水供給管１８の吐出部１８ａからボウル部３内に吐出されるようになる（矢印ａ参照）。
【００２３】
同時に、ターントラップ機構１５では、モータの駆動で回転軸１７が図１において反時針回りに回転され、アーム部材１７ａと先端リング部材１６ａを介してトラップホース１６が下向き（矢印ｂ参照）に回動されるので、ボウル部３とトラップホース１６との封水は、汚物とともに排水路１９から外部下水管に排水されるようになる。
【００２４】
その後、一定のタイミングでトラップホース１６を上向きに回動させて、上向き位置の保持した状態で、再びボウル部３とトラップホース１６とに封水（溜め水）を一定の水位Ｌ１で溜めるようになる。
【００２５】
一方、便器本体４内には、便蓋６を閉じて略気密に保たれたボウル部３内の空気を外部に吸引排出することで減圧する減圧装置２２が設けられている。
【００２６】
この減圧装置２２は、例えば、水流圧を利用して吸引排出を行うアスピレータ２３を用いることができる。
【００２７】
アスピレータ２３は、図３に詳細に示すように、水密性の容器２４を備え、この容器２４は、仕切り板２５によって、上部室２４ａと下部室２４ｂとに仕切られている。下部室２４ｂには、水道水配管１１から分岐させた分岐配管２６が開閉弁２７〔図１参照〕を介して接続されていて、水道水を一定の水位Ｌ２で下部室２４ｂ内に溜めるようになっている。
【００２８】
上部室２４ａにはポンプ２８が配置されて、ポンプ２８の吸入管２８ａと吐出管２８ｂとは、下部室２４ｂの貯留水中に臨まされている。ここで、吐出管２８ｂは、吸入管２８ａよりも水深を浅く（短く）設定するとともに、吸入管２８ａよりも後述する空気排出管３１に近い側に設定している。これにより、吐出管２８ｂから下部室２４ｂ内の貯留水中に排出される空気（臭気）が吸入管２８ａに再吸入されるおそれが無くなるとともに、空気排出管３１からスムーズに排出されるようになる。
【００２９】
また、下部室２４ｂの側壁に一端を連結した空気排出管３１の他端がドーム状カバー１４（つまり、排水路１９）に連結されている。このように、空気排出管３１の他端をドーム状カバー１４に連結することで、通常のＳ字トラップに空気排出管３１の他端を連結する場合と比較して、連結が簡単に行える。また、空気排出管３１の一端を下部室２４ｂの側壁に連結することで、空気排出管３１の連結口を越える貯留水はオーバーフローして排出されるので、下部室２４ｂが一定の水位Ｌ２に維持されるようになる。
【００３０】
前記のように便器１を構成すれば、便器１の使用後に、レバーや押しボタンスイッチ等で水洗操作がされると、前述のようにして、ボウル部３とトラップホース１６との封水が汚物とともに排水路１９から外部下水管に排水された後に、再びボウル部３とトラップホース１６とに封水（溜め水）が一定の水位Ｌ１で溜められるようになる。
【００３１】
その後、便蓋６が閉じ位置にあることをセンサー等で検出すると、マイクロコンピュータ等の制御装置３３からの制御信号でアスピレータ２３のポンプ２８が駆動されて、下部室２４ｂ内の貯留水が吸入管２８ａから吸入され、吐出管２８ｂから吐出されるという循環を繰り返すようになる（矢印ｃ参照）。
【００３２】
なお、下部室２４ｂ内に貯留水が一定の水位Ｌ２よりも減ったことをセンサー等で検出すると、制御装置３３からの制御信号で開閉弁２７を開いて、水道水配管１１から分岐配管２６を介して水道水を下部室２４ｂ内に補給することができる（矢印ｅ参照）。このように、下部室２４ｂ内の貯留水は、基本的には循環使用であり、一定の水位Ｌ２よりも減ったときに補給するだけであるので、使用水量が少なくて済む。
【００３３】
ポンプ２８の駆動に伴って吐出管２８ｂに水流が発生すると、その水流圧で空気吸引管３０が負圧になることから、ボウル部３内の空気（臭気）が空気吸引管３０から吸引排出されて（矢印ｆ参照）、ボウル部３内が減圧されるようになる。なお、便蓋６を閉じたとしても、ボウル部３内が完全な気密状態となるものではなく、僅かな隙間が生じているのが普通であるから、このような隙間から僅かの外気がボウル部３内に吸い込まれることで、ボウル部３内に空気の流れが生じて、ボウル部３内の空気（臭気）が空気吸引管３０からスムーズに吸引排出されることが可能になる。場合によっては、積極的に僅かな隙間を形成することもできる。
【００３４】
空気吸引管３０でボウル部３内から吸引排出された空気（臭気）は、吐出管２８ｂを流れる水流に混じって下部室２４ｂ内の貯留水中に排出され、この空気（臭気）が貯留水の水面上に浮上して仕切り板２５との間に溜まって（水位Ｌ２の上面と仕切り板２５の下面との間の空間が空気（臭気）層となる。）、空気排出管３１から排水路１９、つまり外部下水管に排出されるようになる（矢印ｄ参照）。なお、ポンプ２８は、所定時間（例えば数分間）だけ駆動された後に自動的に停止されるようになる。
【００３５】
これにより、ボウル部３内が簡単に脱臭されて臭気がこもらなくなるので、便蓋６を開けた時に不快にならなくなる。
【００３６】
また、水流圧を利用して吸引排出を行うアスピレータ２３を用いることで、減圧装置２２が簡単でコスト安になる。
【００３７】
さらに、アスピレータ２３で外部に吸引排出されるボウル部３内の空気（臭気）を排水路１９から外部下水管に直接排出することで、送風ファンや脱臭フィルターを介してトイレルーム内に排出する場合と比べて、送風ファンや脱臭フィルター等の処理設備が不要となるので、コスト安になる。
【００３８】
また、アスピレータ２３の吸入管２８ａと吐出管２８ｂとを下部室２４ｂの貯留水中に臨ませているので、ポンプ２８の停止で吸入管２８ａと吐出管２８ｂとに水が無くなっても、仕切り板２５との間に溜まった空気（臭気）が空気吸引管３０からボウル部３内に逆流するおそれがない。
【００３９】
さらに、アスピレータ２３による吸引排出中に便蓋６を開いた時には、制御装置３３によって、ポンプ２８の駆動による吸引排出を所定時間（例えば、数十秒間）だけ継続した後にポンプ２８を停止させるように制御すれば、ボウル部３内にこもった臭気が引き続き吸引排出されて、便蓋６を開けた時に不快にならなくなる。
【００４０】
前記実施形態では、減圧装置２２としてアスピレータ２３を用いたが、真空ポンプ（ロータリポンプやディフュージョンポンプ等）を用いることもできる。このように、電力を利用して吸引排出を行う真空ポンプを用いれば、吸引排出力や吸引排出時間の制御が簡単に行えるようになる。
【図面の簡単な説明】
【００４１】
【図１】本発明の実施形態に係る便器の側面断面図である。
【図２】（ａ）（ｂ）は図１の便器の要部拡大図である。
【図３】本発明の実施形態に係る減圧装置であるアスピレータの側面断面図である。
【符号の説明】
【００４２】
１    便器
３    ボウル部
４    便器本体
６    便蓋
２２  減圧装置
２３  アスピレータ
２８  ポンプ
３０  空気吸引管
３１  空気排出管
３３  制御装置
【図１】
2008025171.tif 000003
【図２】
2008025171.tif 000004
【図３】
2008025171.tif 000005